(57)【要約】【課題】埋め込み設置においても室内空間からの音声を良好に収音できるドーム型カメラの設置構造を提供する。【解決手段】ドーム型カメラ(50)は、透明のドーム状カバー(3a)を有するカバー部(3)とカバー部(3)が着脱自在に装着されると共にカバー部(3)が装着された状態でドーム状カバー(3a)に覆われるようカメラ部(51)が取り付けられた本体部(2)と本体部(2)に配設されたマイク(7)とを有する。更に、ドーム型カメラ(50)を固定する固定手段(64b)を有し下孔(61a)に取り付けられるブラケット(64)にドーム型カメラ(50)を固定した状態でドーム状カバー(3a)を露出させると共に本体部(2)を覆い隠すよう配設されるシーリングカバー(1)を備える。シーリングカバー(1)は外部の音をマイク(7)に向け誘導する音誘導手段(1e)を有する。【選択図】図７
2011097327.tif 000002
【特許請求の範囲】
【請求項１】
ドーム型カメラをボードに設けられた下孔に設置するためのドーム型カメラの設置構造であって、
前記ドーム型カメラは、透明のドーム状カバーを有するカバー部と、前記カバー部が着脱自在に装着されると共に前記カバー部が装着された状態で前記ドーム状カバーに覆われるようカメラ部が取り付けられた本体部と、前記本体部に配設されたマイクと、を有し、
前記ドーム型カメラを固定する固定手段を有し、前記下孔に取り付けられるブラケットと、
前記下孔に取り付けられた前記ブラケットに前記ドーム型カメラを固定した状態で、前記ドーム状カバーを露出させると共に前記本体部を覆い隠すよう配設されるシーリングカバーと、を備え、
前記シーリングカバーは、外部の音を前記マイクに向け誘導する音誘導手段を有することを特徴とするドーム型カメラの設置構造。
【請求項２】
前記音誘導手段は、前記シーリングカバーの一面に開口する貫通孔を有し前記シーリングカバーの他面側から前記マイクに向け延出した筒状のダクト部であることを特徴とする請求項１記載のドーム型カメラの設置構造。
【請求項３】
前記マイクは、前記本体部及び前記カバー部の外面よりも内側に配設されており、
前記本体部又は前記カバー部は、前記マイクに対応する位置に収音孔を有していることを特徴とする請求項１記載のドーム型カメラの設置構造。
【請求項４】
前記音誘導手段は、前記シーリングカバーの一面側に開口する貫通孔を有し前記シーリングカバーの他面側から前記収音孔に向け延出した筒状のダクト部であることを特徴とする請求項３記載のドーム型カメラの設置構造。
【請求項５】
前記音誘導手段は、一端側が前記シーリングカバーの一面側に開口し他端側に前記マイクが臨まれる管状の空間である音誘導空間を形成しており、前記音誘導空間の共鳴周波数は、人声の周波数帯域における高域側又は前記周波数帯域を越えた高域側にあることを特徴とする請求項３又は請求項４記載のドーム型カメラ。
【発明の詳細な説明】
【技術分野】
【０００１】
本発明は、ドーム型カメラの設置構造に係る。
特に、透明のドーム部と収音手段を有する本体部とを備えたドーム型カメラを、埋め込み設置用のブラケット及びシーリングカバーを用いてドーム部を外部に露出させつつ本体部を天井や壁等のボードの内部に埋め込むように設置しても、収音手段で外部の音を良好に収音できるドーム型カメラの設置構造に関する。
【背景技術】
【０００２】
ドーム型カメラは、一般的に、半球状に形成された透明なドーム部と、ドーム部が着脱自在に装着されカメラユニットや回路基板等を備えた筒状の本体部と、を有して構成されている。
そして、ドーム型カメラは、店舗や公共建造物などの屋内や屋外を監視するために天井等の高所に設置され、近年普及が著しい。
この普及に伴い、ドーム型カメラに対し、単に映像を撮影するだけではなく、設置場所付近の音声も収音できることが望まれてきている。
【０００３】
また、ドーム型カメラは、監視という目的から、ドーム型カメラ自体の存在を目立たせるように、ドーム部及び本体部を露出させて設置する場合（以下、便宜的に露出設置とも称することにする）と、逆に存在を目立たせないように、ドーム部は外部に露出させ本体部を天井等の内部に埋め込むように設置するいわゆる埋め込み設置をする場合とがある。
従って、ドーム型カメラ自体はいずれの設置も可能な構造とされ、埋め込み設置の場合には、本体部やドーム部と天井等のボードとの隙間などを隠して外観品位を向上させるための環状のシーリングカバーを用いるのが一般的である。
【０００４】
特許文献１には、収音手段としてマイクを備え、本体部を露出させる設置と埋め込み設置とに対応したドーム型ビデオカメラ装置が開示されている。
【先行技術文献】
【特許文献】
【０００５】
【特許文献１】特開２０００−１６５７１０号公報
【発明の概要】
【発明が解決しようとする課題】
【０００６】
ところで、特許文献１に記載されたドーム型ビデオカメラ装置は、マイクを筒型本体（本体部に相当）の側面側に有している。
具体的には、筒型本体の筒型ケースの側面に、集音穴が開口し、その集音穴に対応する内側位置にマイクが取り付けられている。
従って、このドーム型ビデオカメラ装置を例えば天井に設置し、室内の映像及び音声を撮影及び集音する場合に、筒型本体を外部に露出させる露出設置とすれば、集音穴も外部の空間に露出して開口し、マイクは集音穴を介して外部の音を集音することができる。
【０００７】
一方、埋め込み設置とする場合には、筒型本体は天井裏に埋め込まれるので、集音穴も室内ではなく天井裏の空間に露出して開口し、室内の音声を直接集音することができない。
【０００８】
そこで、ドーム型ビデオカメラ装置は、筒型本体の下端に設けられたカバー取り付け部において、集音穴の真下相当位置に切欠が形成されており、この切欠を介して室内の音声を集音穴に到達させるようになっている。
【０００９】
しかしながら、特許文献１に記載されたドーム型ビデオカメラ装置は、埋め込み設置において、上述のように、集音穴が、撮影対象であって集音対象でもある室内空間とは異なる天井裏の空間に露出するので、天井裏に配設されている空調のダクトや水道の配管からの騒音、あるいは上層階からの騒音等の種々の騒音が直接的に集音穴に到達してマイクで集音されてしまう。
また、天井裏は、吸音処理がされていない場合が多く、その場合に、種々の騒音が反響して音量が増すと共に多くの残響音も発生する。
【００１０】
従って、特許文献１に記載されたドーム型ビデオカメラ装置は、本来集音すべき室内の音声等が天井裏の騒音やその残響音に埋もれて良好に集音し難いものであり、この点で解決が望まれる。
【００１１】
そこで、本発明が解決しようとする課題は、埋め込み設置においても、収音対象となる室内等の空間からの音声を良好に収音できるドーム型カメラの設置構造を提供することにある。
【課題を解決するための手段】
【００１２】
上記の課題を解決するために、本願発明は手段として次の１）〜５）の構成を有する。
１）  ドーム型カメラ(50)をボード(61)に設けられた下孔(61a)に設置するためのドーム型カメラの設置構造であって、
前記ドーム型カメラ(50)は、透明のドーム状カバー(3a)を有するカバー部(3)と、前記カバー部(3)が着脱自在に装着されると共に前記カバー部(3)が装着された状態で前記ドーム状カバー(3a)に覆われるようカメラ部(51)が取り付けられた本体部(2)と、前記本体部(2)に配設されたマイク(7)と、を有し、
前記ドーム型カメラ(50)を固定する固定手段(64b)を有し、前記下孔(61a)に取り付けられるブラケット(64)と、
前記下孔(61a)に取り付けられた前記ブラケット(64)に前記ドーム型カメラ(50)を固定した状態で、前記ドーム状カバー(3a)を露出させると共に前記本体部(2)を覆い隠すよう配設されるシーリングカバー(1)と、を備え、
前記シーリングカバー(1)は、外部の音を前記マイク(7)に向け誘導する音誘導手段(1e)を有することを特徴とするドーム型カメラの設置構造である。
２）  前記音誘導手段(1e)は、前記シーリングカバー(1)の一面(1b)に開口する貫通孔(1e3)を有し前記シーリングカバー(1)の他面(1c)側から前記マイク(7)に向け延出した筒状のダクト部(1e)であることを特徴とする１）に記載のドーム型カメラの設置構造である。
３）  前記マイク(7)は、前記本体部(2)及びカバー部(3)の外面よりも内側に配設されており、
前記本体部(2)又は前記カバー部(3)は、前記マイク(7)に対応する位置に収音孔（2f,3e）を有していることを特徴とする１）に記載のドーム型カメラの設置構造である。
４）  前記音誘導手段(1e)は、前記シーリングカバー(1)の一面(1b)側に開口する貫通孔(1e3)を有し前記シーリングカバー(1)の他面(1c)側から前記収音孔(2f,3e)に向け延出した筒状のダクト部(1e)であることを特徴とする３）に記載のドーム型カメラの設置構造である。
５）  前記音誘導手段(1e)と前記収音孔(2f,3e)とは、一端側が前記シーリングカバー(1)の一面側に開口し他端側に前記マイク(7)が臨まれる管状の空間である音誘導空間(YS)を形成しており、前記音誘導空間(YS)の共鳴周波数は、人声の周波数帯域における高域側又は前記周波数帯域を越えた高域側にあることを特徴とする３）又は４）に記載のドーム型カメラである。
【発明の効果】
【００１３】
本発明によれば、ドーム型カメラを埋め込み設置しても、収音対象となる室内等の空間からの音声を良好に収音できる、という効果を奏する。
【図面の簡単な説明】
【００１４】
【図１】本発明のドーム型カメラの設置構造の実施例を説明するための斜視図である。
【図２】本発明のドーム型カメラの設置構造の実施例に適用されるドーム型カメラの露出設置について説明するための斜視図である。
【図３】本発明のドーム型カメラの設置構造の実施例に適用されるドーム型カメラを説明するための組立図である。
【図４】本発明のドーム型カメラの設置構造の実施例に適用されるドーム部を説明するための部分断面図である。
【図５】本発明のドーム型カメラの設置構造の実施例に適用されるドーム型カメラを説明するための部分断面図である。
【図６】本発明のドーム型カメラの設置構造の実施例に適用されるシーリングカバーを示す斜視図である。
【図７】本発明のドーム型カメラの設置構造の実施例を説明するための部分断面図である。
【図８】本発明のドーム型カメラの設置構造の実施例に適用される埋め込み用のブラケットについて説明する斜視図である。
【図９】本発明のドーム型カメラの設置構造の実施例を説明するための組立図である。
【図１０】本発明のドーム型カメラの設置構造の実施例における変形例を説明するための部分断面図である。
【発明を実施するための形態】
【００１５】
本発明の実施の形態を、好ましい実施例により図１〜図１０を用いて説明する。
【００１６】
図１及び図２は、本発明のドーム型カメラの設置構造の実施例における設置形態を説明するための外観斜視図である。
具体的には、図１は、実施例に適用されるドーム型カメラ５０を、シーリングカバー１などを用いて天井のボード６１に埋め込み設置した状態を室内側から見上げた斜視図である。図２は、ドーム型カメラ５０を天井のボード６１に露出設置した状態を室内側から見上げた斜視図である。
いずれの設置形態においても、ドーム型カメラ５０は共通に使用できるようになっている。
【００１７】
露出設置では、図２に示すように、ドーム型カメラ５０は、天井のボード６１に対し、そのボード６１に設けられた図示しない孔に電源線や信号線等を通して固定される。従って、本体部２と、ドーム状のカバー３ａ，カバー３ａの端面が当接するフランジ部３ｂ，及びフランジ部３ｂにカバー３ａを固定するリングカバー３ｃを有して本体部２に取り付けられたカバー部３と、が露出した状態とされる。
埋め込み設置では、図１に示すように、ドーム型カメラ５０は、天井のボード６１に設けられた孔部６１ａ（図８参照）に本体部２が挿入され、ボード６１側に固定された環状のシーリングカバー１と、シーリングカバー１の中心孔１ａから室内側へ突出したカバー３ａ及びリングカバー３ｃとが、露出した状態とされる。
【００１８】
カバー３ａはポリカーボネート樹脂などを用いて透明に形成されている。ここで、透明とは、カメラによりカバー３ａを通して実用に耐える映像を撮像できる程度に透けていることを意味する。また、いわゆるスモークと称されてグレー色などに着色されているものも含む。
カバー３ａの内部には、レンズ部４を有するカメラユニット５１が収められており、カバー３ａを通しては、レンズ部４と、レンズ部４に対応する部分にスリット状の開口部５ａを有してレンズ部４以外の部分を覆うインナーカバー５と、が外部から主に視認される。
【００１９】
図３は、本体部２，カバー部３，及びインナーカバー５を互いに外した状態を示した組立図である。各部材の向きは理解容易のため図１及び図２とは上下逆にしてある。
図３において、インナーカバー５及びカバー部３は、本体部２に対して矢印Ｄ１方向に取り付けられる。
【００２０】
本体部２には、カメラユニット５１が取り付けられている。
カメラユニット５１は、レンズ部４と撮像素子６とを備えており、撮像素子６はレンズ部４による結像を電気信号に変換して出力する。
カメラユニット５１は、その光軸ＣＬの向きを、チルト方向に９０°の範囲で図３の矢印Ｄ２方向に変えることができるようになっている。また、カメラユニット５１は、本体部２の軸線ＣＬ１回りとなるパン方向に回動可能とされていてもよい。
【００２１】
また、本体部２には、その図３における上面側の外周側に、マイク７を収納するマイク収納部２ａが形成されている。
マイク収納部２ａには、マイク７が図３の矢印Ｄ３方向に装着されている。
その装着状態において、マイク７は、図３における上面側が音声の収音面７ａとされている。
マイク７からの出力は、図示しないリードを介して本体部２の内部に収められた回路基板８に供給される。
【００２２】
回路基板８には、電源回路やカメラユニット５１からの映像信号を処理する信号処理回路などが設けられている。
【００２３】
本体部２は、底面２ｄ（図３の下側の面）側から上方に向け立設された複数のボス２ｅを有している。ボス２ｅには、貫通孔２ｅ１が形成されており、このドーム型カメラ５０の設置において、設置用のボルトを挿通する。
具体的には、露出設置においては、貫通孔２ｅ１に挿通したボルトをボード６１に対して直接ねじ込む。また、埋め込み設置においては、貫通孔２ｅ１に挿通したボルト６５（図９参照）を後述するブラケット６４の雌ねじ６４ｂ（図８及び図９参照）に対してねじ込む。
【００２４】
インナーカバー５は遮光性材料を用いて端部にフランジ部５ｂを有して形成され、フランジ部５ｂが本体部２の係合部２ｂに係合することで本体部２に対して固定される。
【００２５】
次に、図３及び図４を用いてカバー部３について詳述する。図４は、カバー部３の半断面図である。
【００２６】
カバー部３のフランジ部３ｂは、環状に形成され、ドーム部３の中心軸線ＣＬ２に直交または傾斜して交わる基部３ｂｋと、基部３ｂｋの外周縁から中心軸線ＣＬ２に沿って延出した外周縁部３ｂｇと、基部３ｂｋの内周縁から中心軸線ＣＬ２に沿い外周縁部３ｂｇとは反対方向に延出した内周縁部３ｂｎ（図４参照）と、を有している。
基部３ｂｋは、カバー３ａの外径よりも大きな外径を有し、露出設置状態で外部に露出する部分を含む意匠面３ｂ１を有している。また、外周縁部３ｂｇの外周面３ｂ２も外部に露出する。内周縁部３ｂｎはカバー３ａの端部内側に嵌合するようになっている。
外周縁部３ｂｇには、カバー部３を本体部２に固定するためにタッピングねじが挿通される孔３ｄが形成されている（図３参照）。
また、基部３ｂｋには、カバー部３を本体部２に取り付けた状態でマイク７と対応する位置に収音孔３ｅが形成されている。
【００２７】
カバー部３は、例えば次の組み立て方法で組み立てられる。図４を用いて説明する。
すなわち、フランジ部３ｂの意匠面３ｂ１にカバー３ａの端面３ａｔを図４の上方から当接させ、内面及び端面に接着剤を塗布したリングカバー３ｃを図４の上方からカバー３ａの外側に嵌め込み、リングカバー３ｃの端面３ｃｔがフランジ部３ｂの一面である意匠面３ｂ１に当接した状態で接着剤を硬化させて三者を固着する。
【００２８】
カバー部３と本体部２との嵌合部には、図示しない所謂バヨネット構造が備えられている。これにより、カバー部３は本体部２に対して着脱自在とされている。
具体的には、組み立てたカバー部３を、インナーカバー５が装着された本体部２に対して図３の矢印Ｄ１方向に被せ、所定の方向に回すことで本体部２に固定できるようになっている。また、本体部２に固定したカバー部３は、所定の方向とは逆の方向に回すことで、取り外すことができる。
また、タッピングねじ６３を孔３ｄに挿通し、さらに本体部２のタップ下穴２ｃにねじ込むことで、カバー部３を本体部２に固定することもできる。
露出設置においては、ドーム部３が故意に外されることを防止するため、バヨネットでの固定に加えてタップ下穴２ｃへのねじ込みによる固定を併用する場合がある。
【００２９】
図５は、カバー部３を本体部２に取り付けた状態を示す半断面図である。
【００３０】
ドーム型カメラ５０は、収音孔３ｅに対して中心軸線ＣＬ１に沿う方向の内部に、マイク７が、その収音面７ａと収音孔３ｅとが近接対向するようにマイク収納部２ａに収められて配置されている。
【００３１】
カバー部３が本体部２に取り付けられたドーム型カメラ５０は、図２に示す露出設置において、収音孔３ｅが、フランジ部３ｂの意匠面３ｂ１における外部に露出した部位に設けられ、天井のボード６１側から下方に向けて開口している。
これにより、従来例のように、側面に側方に向け開口している場合と比べ、室内空間において本体部２の陰になる範囲が少なく、より広範囲に直接音を収音することができるので、音声収音が良好に行える。
【００３２】
次に、シーリングカバー１について詳述する。図６は、シーリングカバー１を示す外観斜視図である。
【００３３】
シーリングカバー１は、ドーム型カメラ５０を後述する埋め込み用のブラケット６４を用いて埋め込み設置する際にブラケット６４に係合して取り付けられる。
シーリングカバー１は、取り付けられた状態で少なくとも本体部２を隠す。また、本体部２やブラケット６４の形状によっては、ブラケット６４，ドーム型カメラ５０と下穴６１ａとの隙間を隠し、埋め込み設置の外観品位を向上させる。
シーリングカバー１は、中心孔１ａを有する環状に形成され、図６の下方側の面が外観可視領域の意匠面１ｂとされる。シーリングカバー１は、例えば熱可塑性樹脂を射出成形することにより形成されるが、これに限定されるものではなく、アルミニウム材を絞り加工などを施して形成されていてもよい。
意匠面１ｂの反対側の面である裏面１ｃには、周方向に可撓性を有する一対の爪１ｄ１，１ｄ２からなる爪部１ｄが周方向に離隔して複数形成されている。
【００３４】
また、意匠面１ｂにおける中心孔１ａの周縁部近傍には、開口部１ｅ１で開口する貫通孔であるダクト孔１ｅ３（図７参照）を有して裏面側に筒状に立設するダクト１ｅ２（図７参照）を有するダクト部１ｅ（図７参照）が設けられている。
実施例では、ダクト部１ｅは、互いに周方向に１８０°離隔して一対設けられている。
【００３５】
図７は、図５に示したドーム型カメラ５０に対し、埋め込み設置においてシーリングカバー１が装着された状態を説明するための半断面図である。
すなわち、ドーム型カメラ５０と、埋め込み設置状態でのシーリングカバー１との位置関係が図７に示される。
【００３６】
シーリングカバー１の中心孔１ａは、ドーム部３のリングカバー３ｃの外周面にほぼ隙間なく嵌合するようになっている。
また、埋め込み設置において、シーリングカバー１の意匠面１ｂとリングカバー３ｃの端面３ｃ１とは、ほぼ同じ高さ位置で段差が生じないようになっている。
もちろん、リングカバー３ｃがシーリングカバー１で隠れるようになっていてもよい。
また、ダクト部１ｅの貫通孔１ｅ３は、ドーム部３におけるフランジ部３ｂの収音孔３ｅと対応した位置にあり、ダクト部１ｅの先端とフランジ部３ｂの意匠面３ｂ１との間隙Ｈ０が、ゼロまたは極めて僅かな隙間となるように形状及び寸法を設定するとよい。
これにより、収音対象ではない天井裏からの音が収音孔３ｅに到達し難くなっている。
【００３７】
さらに、この間隙Ｈ０をより完全に塞いで外部の音を収音孔３ｅ内により進入し難くするために、クッション性を有するシール材をダクト部１ｅとフランジ部３ｂとの間に挟んでもよい。
【００３８】
上述した実施例の構造によれば、ドーム型カメラ５０を例えば天井に図１にように埋め込み設置した状態で、収音すべき室内からの音声は、シーリングカバー１の開口部１ｅ１からダクト部１ｅの貫通孔１ｅ３を通過し、さらにフランジ部３ｂの収音孔３ｅを経てマイク７に到達する。
すなわち、ダクト部１ｅは、シーリングカバー１の一面である意匠面１ｂに開口する貫通孔１ｅ３を有しシーリングカバー１の他面である裏面１ｃからマイク７の近傍に設けられた収音孔３ｅに向け延出した筒状とされている。
このように、ダクト部１ｅは、埋め込み設置において意匠面１ｂから大きく離れて位置するマイク７に外部の音を到達させるための音誘導手段として機能する。
開口部１ｅ１からマイク７の収音面７ａまでの過程で、室内以外からの音はほとんど混入しないので、マイク７により室内からの音声のみを良好に収音することができる。
【００３９】
次に、シーリングカバー１とドーム型カメラ５０との関係が図７のようになる埋め込み設置を行う手順について、図８及び図９を用いて説明する。
【００４０】
図８に示すように、ボード６１には、予め、所定の径の下孔６１ａを形成しておく、そして、埋め込み用のブラケット６４をねじ固定しておく。
具体的には、ブラケット６４は、折り曲げられて径方向外側に延出する複数の腕部６４ａを有しているので、この腕部６４ａをネジ６５によりボード６１にネジ止めしてボード６１に固定する。
また、ブラケット６４は、ボード６１から内部に埋め込まれた位置に、雌ねじ６４ｂを有する複数の取り付け腕部６４ｃと、シーリングカバー１と係合する複数の係合孔部６４ｄを有している。
【００４１】
図９に示すように、ドーム部３を取り付ける前のインナーカバー５を取り付けた状態の本体部２を、図９の矢印Ｄ４の方向で下孔６１ａに挿入し、ボルト６５をボス２ｅの貫通孔２ｅ１に挿通し、ブラケット６４の雌ねじ６４ｂにねじ込むことで、本体部２は下孔６１ａ内に収納されてブラケット６４に固定される。すなわち、ボード６１側に固定される。
【００４２】
次に、ドーム部３を図９の矢印Ｄ５の方向にて本体部２に装着する。上述のように、本体部２とドーム部３とはバヨネット構造で係合するようになっているので、ドーム部３を本体部２に押しつけたまま所定角度回動させることで本体部２に取り付けることができる。
【００４３】
次に、シーリングカバー１を図９の矢印Ｄ６の方向にてブラケット６４に装着する。具体的には、シーリングカバー１の爪部１ｄをブラケット６４の係合孔部６４ｄに係合させてブラケット６４に固定する。
【００４４】
実施例の取り付け構造において、ブラケット６４に対して固定される本体部２の中心軸線ＣＬ１まわりの位置は１つ決められている。
また、ブラケット６４に対して固定されるシーリングカバー１の中心軸線ＣＬ１回りの位置は、１８０°離隔して２つ決められている。
従って、各部材を取り付けていけば、おのずと、本体部２のマイク７に対応してシーリングカバー１の一対の開口部１ｅ１の一方が位置し、室内の音を良好に収音することができる。
【００４５】
上述の手順によってドーム型カメラ５０の埋め込み設置が行われ、シーリングカバー１と本体部２とが、図７で示した位置関係となる。
従って、本体部２がボード６１に対して露出して取り付けられる露出設置と、本体部２がボード６１に対して内部に収納されて取り付けられる埋め込み設置と、において、ドーム型カメラ５０を共用することができ、また、埋め込み設置で用いるシーリングカバー１に、ボード６１に対して天井の裏側に入り込んだ位置にあるマイク７に対して、室内からの音を天井裏からの騒音を混入させずに良好に誘導するダクト部１ｅを設けているので、埋め込み設置においても、室内からの音のみを良好に収音することができる。
【００４６】
ところで、ドーム型カメラ５０は、監視用途として人間の声を収音する用途で使用される場合が多い。
そこで、ダクト部１ｅの貫通孔１ｅ３の内部空間とフランジ部３ｂの収音孔３ｅの内部空間とを合わせた略管状の空間の共鳴周波数を、人間の音声の周波数帯域から外れた周波数となるように貫通孔１ｅ３及び収音孔３ｅの形状を設定すれば、その共鳴による影響を受け難くして人間の音声を良好に収音することができる。
【００４７】
例えば、ダクト部１ｅの共鳴周波数を高い方に大きくずらし、かつ、その共鳴周波数帯域をフィルターにより電気的に除去して雑音源にならないようにするとよい。フィルターは、回路基板８に搭載してもよいし、ドーム型カメラ５０から出力される音声信号の出力先の機器に搭載してもよい。
【００４８】
一般に、ダクトの共鳴周波数は、気柱の共鳴式として次の（式１）及び（式２）で導かれることが知られている。
これらの共鳴式は、貫通孔１ｅ３及び収音孔３ｅで形成される管状の空間に適用することができる。この管状の空間を音誘導空間ＹＳ（図７参照）と称することとする。
ｆ＝Ｃ／４＊（Ｌ＋Δ）    ・・・（式１）
Δ＝（８＊ｄ／２）／３π  ・・・（式２）
ただし、
ｆ：一次の共鳴周波数（Ｈｚ）
Ｃ：音速（ｍｍ／ｓｅｃ），Ｃ＝３３１４５０＋６０７＊ｔ
ｔ：測定時の気温（℃）
Ｌ：ダクトの長さ（ｍｍ）
ｄ：ダクトの直径（ｍｍ）
Δ：開口端補正値
である。
【００４９】
ここで、マイク７の収音面７ａとシーリングカバー１の意匠面１ｂとの間の距離を、所定の距離Ｈ１とし、貫通孔１ｅ３及び収音孔３ｅの直径を所定の径φｄとすると、実施例では、例えば、Ｈ１＝１９．８（ｍｍ），φｄ＝３．４（ｍｍ）としている。
Ｈ１＝Ｌ，φｄ＝ｄ  であるから、実施例のダクト１ｅ２の一次共鳴周波数は、４．０７×１０3（Ｈｚ）となる。
人間の音声の周波数帯域は、２００（Ｈｚ）〜４（ｋＨｚ）程度とされているので、実施例のドーム型カメラ５０は、ダクト１ｅ２の共鳴周波数が人声の周波数帯域の高音域端側にあり、共鳴により増幅される音の影響を大きく受けることはなく、人間の声を良好に収音することができる。
このように、共鳴周波数は、人声の周波数帯域の高域または低域の両端側にあると良いが、さらには、人声の周波数帯域を超えた高音域帯または低音域帯にあると、共鳴により増幅される音の影響をさらに受けにくくなるので望ましい。
この場合、低音域側に共鳴周波数を設定するとダクトの大型化につながるので、高音域側に設定することがより望ましい。
上記共鳴式を適用するにあたり、ダクト部１ｅの先端面とフランジ部３ｂの意匠面３ｂ１との隙間Ｈ０、及び、フランジ部３ｂの内側面とマイク７の収音面７ａとの隙間Ｈ２（図７参照）がない場合が最も好ましいが、隙間があっても僅かであれば、実用上影響なく適用が可能である。
すなわち、音誘導空間ＹＳがシーリングカバー１の開口以外、概ね密閉されているのが好ましく、完全に密閉されているのが最も望ましい。
【００５０】
本発明の実施例は、上述した構成及び手順に限定されるものではなく、本発明の要旨を逸脱しない範囲において変形例としてもよいのは言うまでもない。
【００５１】
本体部２において、マイク７に音を誘導する開口部は、本体部２の側面に設けられていてもよい。
図１０にその例を示す。本体部２の側面２ｓには、マイク７に音を誘導する開口部２ｆが設けられている。シーリングカバー１１のダクト部１１ｅは、本体部２の側面２ｓに沿う筒状のダクト１１ｅ２を備え、貫通孔１１ｅ３は、開口部１１ｅ１から中心軸線ＣＬ１に沿って延在し、奥側で側面２ｅの開口部２ｆに向け折り曲がって形成されている。
開口部２ｆは、露出設置において、ボード６１に埋め込まれず外部に露出する位置に設けられる。
【００５２】
実施例では、埋め込み設置において本体部２がボード６１の内側に収容される例を説明したが、本体部２の一部が収容される設置態様でも良い。
例えば、埋め込み設置において、マイクへ音を誘導する収音孔の位置が、露出設置となる他の設置態様に比べてボード６１の内方の奥まった位置となる設置であれば、実施例を適用することができる。
【００５３】
また、図５及び図７を用いて説明した実施例では、マイク７が本体部２の外面である意匠面３ｂ１より内側となる内部に配設されたものを説明しているが、意匠面３ｂ１と同面となるように、または意匠面３ｂ１から突出するように設けられていてもよい。
これらの場合、本体部２の収音孔３ｅは不要であるので、ダクト部１ｅは、シーリングカバー１の一面である意匠面１ｂに開口する貫通孔１ｅ３を有しシーリングカバー１の他面である裏面１ｃからマイク７に向け延出した筒状のものとすればよい。
【符号の説明】
【００５４】
１，１１  シーリングカバー
１ａ  中心孔
１ｂ  意匠面
１ｃ  裏面
１ｄ  爪部
１ｄ１，１ｄ２  爪
１ｅ，１１ｅ  ダクト部
１ｅ１，１１ｅ１  開口部
１ｅ２，１１ｅ２  ダクト
１ｅ３，１１ｅ３  貫通孔
２  本体部
２ａ  マイク収納部
２ｂ  係合部
２ｃ  タップ下穴
２ｅ  ボス
２ｅ１  貫通孔
２ｆ  収音孔
２ｓ  側面
３  カバー部
３ａ  カバー
３ｂ  フランジ部
３ｂ１  意匠面
３ｂ２  外周面
３ｃ  リングカバー
３ｄ  孔
３ｅ  収音孔
４  レンズ部
５  インナーカバー
５ａ  開口部
５ｂ  フランジ部
６  撮像素子
７  マイク
７ａ  収音面
８  回路基板
５０  ドーム型カメラ
５１  カメラユニット
６１  ボード
６１ａ  下孔
６３  タッピングねじ
６４  ブラケット
６４ａ  腕部
６４ｂ  雌ねじ
６４ｃ  取り付け腕部
６４ｄ  係合孔部
６５  ボルト
ＣＬ  光軸
ＣＬ１  中心軸線
ＣＬ２  （ドーム部の）中心軸線
【図１】
2011097327.tif 000003
【図２】
2011097327.tif 000004
【図３】
2011097327.tif 000005
【図４】
2011097327.tif 000006
【図５】
2011097327.tif 000007
【図６】
2011097327.tif 000008
【図７】
2011097327.tif 000009
【図８】
2011097327.tif 000010
【図９】
2011097327.tif 000011
【図１０】
2011097327.tif 000012